(57)【要約】      （修正有）【課題】縦方向サイズを減らして薄型化できるプッシュスイッチ装置を提供する。【解決手段】押しボタン４０を押し操作することによって、第１及び第２押圧部材２０と３０が相互逆方向に相対回転し、押圧方向転換手段は前記第１及び第２押圧部材２０と３０の相対回転運動をスイッチング方向の押圧運動に転換するので、第１押圧部材２０の押圧突起が可動端子１４の頂点部中央を正確に垂直に押圧することができる。したがって、可動端子１４が弾性変形及び復元する時のクリック感を向上させ、可動端子１４と押圧部材の押圧突起との間から発生する滑り摩擦を最小化して摩耗による操作性の低下や部品の寿命短縮を防止できる。また、押しボタン４０の操作時直進性に優れ、可動端子１４の弾性変形による反撥力の他に別の反撥力がさらに発生しないので、押しボタン４０の操作性が向上する。【選択図】図２
2012185929.tif 000002
【特許請求の範囲】
【請求項１】
ハウジングと、前記ハウジング内の底面に配置された接続片をそれぞれ備える第１及び第２端子と、前記ハウジングの内部に設けられて押圧により頂点部が弾性変形及び復元して前記第１端子の接続片と第２端子の接続片を電気的に接続または開放させるドーム状の可動端子とを備えたプッシュスイッチ装置において、
前記可動端子の上部に位置して可動端子の頂点部中央に接触する押圧突起を備え、可動端子の頂点部を下方に押圧して弾性変形させるスイッチング方向を中心軸として回転するようにハウジング内に設けられた第１押圧部材；
前記第１押圧部材上に重ねて第１押圧部材と同一な回転中心軸を中心として回転するようにハウジング内に設けられた第２押圧部材；
前記ハウジングの一側壁を貫通して一部が外部に露出し、前記可動端子のスイッチング方向に対して直交する押し方向に直線移動して前記第１及び第２押圧部材を相互逆方向に相対回転させる押しボタン；及び
前記第１及び第２押圧部材に形成され、第１及び第２押圧部材の相対回転運動を前記第１押圧部材の押圧突起が可動端子の頂点部を下方に押圧するスイッチング方向の押圧運動に転換させる押圧方向転換手段を含むことを特徴とするプッシュスイッチ装置。
【請求項２】
ハウジングと、前記ハウジングの内部に設けられ、押圧により頂点部が弾性変形及び復元してハウジングの底面に備えられた第１端子の接続片と第２端子の接続片を電気的に接続または開放させるドーム状の可動端子とを備えるプッシュスイッチ装置において、
前記可動端子の上部に位置して頂点部中央に接触する押圧突起を備え、可動端子の頂点部を下方に押圧して弾性変形させるスイッチング方向を中心軸として回転するようにハウジング内に設けられた第１押圧部材；
前記第１押圧部材上に重ねてハウジング内に設けられた第２押圧部材；
前記ハウジングの一側壁を貫通して一部が外部に露出し、前記可動端子のスイッチング方向に対して直交する押し方向に直線移動して前記第１押圧部材を回転させる押しボタン；及び
前記第１及び第２押圧部材に形成され、第１押圧部材の回転運動を前記第１押圧部材の押圧突起が可動端子の頂点部を下方に押圧するスイッチング方向の押圧運動に転換させる押圧方向転換手段を含むことを特徴とするプッシュスイッチ装置。
【請求項３】
前記押圧方向転換手段は、前記第１押圧部材の上面に形成され、第１押圧部材の回転中心軸を中心とする円周上に配置された複数の傾斜突起と、前記第２押圧部材の底面に形成され、前記複数の傾斜突起にそれぞれ挿入されるように傾斜突起と対応する形状に形成された複数の傾斜溝とからなることを特徴とする請求項１または２に記載のプッシュスイッチ装置。
【請求項４】
前記第１押圧部材の上面回転中心に支持軸を突設し、前記第２押圧部材の底面回転中心に前記支持軸が挿入される支持孔を形成したことを特徴とする請求項３に記載のプッシュスイッチ装置。
【請求項５】
前記押しボタンによる第１及び第２押圧部材の逆方向相対回転の構成は、前記第１及び第２押圧部材の一側外周面にそれぞれ突設されて相互１８０度の間隔に配置された１対の回転突起と、前記押しボタンから二つに分岐して形成され、その先端が前記１対の回転突起の近くにそれぞれ位置して押しボタンの押し方向移動時、前記第１及び第２回転突起を押圧して第１及び第２押圧部材を相互逆方向に回転させる押しバーとからなることを特徴とする請求項１に記載のプッシュスイッチ装置。
【発明の詳細な説明】
【技術分野】
【０００１】
本発明はプッシュスイッチ装置に関するもので、より詳細にはドーム状の可動端子の頂点部を下方に押圧するスイッチング方向に対してスイッチ操作のための押しボタンの押し方向を直交するように配置することによって、縦方向サイズを減らして薄型化できるプッシュスイッチ装置に関するものである。
【背景技術】
【０００２】
一般的に携帯電話機やゲーム機、各種オーディオ機器などに多く使用するプッシュスイッチ装置は、絶縁樹脂などで成形したハウジングと、ハウジング内に設けられたドーム状の可動端子及び複数の固定端子と、前記ハウジングから突設されて可動端子を作動させる押しボタンを備える。したがって、押しボタンの押し操作で可動端子の頂点部を押圧すると、頂点部が下方に弾性変形及び復元して複数の固定端子を電気的に接続または開放させることによって、スイッチ機能を行う。
【０００３】
このようなプッシュスイッチ装置は可動端子の頂点部を押圧して下方に弾性変形させる方向、即ちスイッチング方向に対して押しボタンの押し方向を直交するように配置することによって、縦方向サイズを減らして薄型化を試みている。
【０００４】
例えば、特許文献１には、図８に示したようにドーム状の可動端子１３０の頂点部を押圧して下方に弾性変形させるスイッチング方向と押しボタン１１０の押し方向を直交するように配置した構成が開示されている。
【０００５】
しかし、前記プッシュスイッチ装置は押しボタン１１０を押し下げると、押しボタン１１０の先端に形成された押し部１１１が傾斜板１４０により下方の対角線方向に移動しながらドーム状の可動端子１３０の頂点部を押圧するようになる。これによって可動端子性変形する時発生するクリック感は可動端子のスイッチング方向に対して押しボタンの押し方向を同一に配置した既存の方式に比べて低下する。その上、押し部１１１の下降により連結部１１２が下方に曲がるようになる。これによって押しボタン１１０の直進性が低下し、連結部１１２の曲げ変形による反撥力が押しボタン１１０の押し力を加重して押しボタン１１０の操作性を顕著に低減させる短所がある。
【０００６】
また押しボタン１１０の押し部１１１と可動端子１３０の接触点の位置が、可動端子１３０の頂点部中央を外れた位置から頂点部中央位置の間で移動するため、移動距離の分だけ滑り摩擦による摩耗が発生するようになる。このようなスイッチ操作過程における摩耗の発生は、プッシュスイッチ装置の機能及び操作性を低下させるだけでなく、部品の寿命を短縮させる問題がある。
【先行技術文献】
【特許文献】
【０００７】
【特許文献１】韓国特許登録第１０−７５５２２３号公報
【発明の概要】
【発明が解決しようとする課題】
【０００８】
したがって、前述したような従来の問題点を解決するためになされた本発明は、ドーム状の可動端子のスイッチング方向と押しボタンの押し方向を直交するように配置したプッシュスイッチ装置において、押しボタンの押し力が可動端子の頂点部中央に垂直下方に正確に作用してスイッチ操作時のクリック感を向上させ、可動端子とこれを押圧する押圧部材との間の摩耗を最小化できるプッシュスイッチ装置を提供することにその目的がある。
【０００９】
本発明の他の目的は、押しボタンの直進性を向上させ、可動端子の弾性変形による反撥力の他に、さらに発生する反撥力を最小化して押しボタンの操作性を向上させることができるプッシュスイッチ装置を提供することにある。
【課題を解決するための手段】
【００１０】
前述した目的を達成するための本発明は、ハウジングと、前記ハウジング内の底面に配置された接続片をそれぞれ備える第１及び第２端子と、前記ハウジングの内部に設けられて押圧により頂点部が弾性変形及び復元して前記第１端子の接続片と第２端子の接続片を電気的に接続または開放させるドーム状の可動端子を備えたプッシュスイッチ装置において、前記可動端子の上部に位置して可動端子の頂点部中央に接触する押圧突起を備え、可動端子の頂点部を下方に押圧して弾性変形させるスイッチング方向を中心軸として回転するようにハウジング内に設けられた第１押圧部材；前記第１押圧部材上に重ねて第１押圧部材と同一な回転中心軸を中心として回転するようにハウジング内に設けられた第２押圧部材；前記ハウジングの一側壁を貫通して一部が外部に露出し、前記可動端子のスイッチング方向に対して直交する押し方向に直線移動して前記第１及び第２押圧部材を相互逆方向に相対回転させる押しボタン；及び前記第１及び第２押圧部材に形成され、第１及び第２押圧部材の相対回転運動を前記第１押圧部材の押圧突起が可動端子の頂点部を下方に押圧するスイッチング方向の押圧運動に転換させる押圧方向転換手段を含むことを特徴とするプッシュスイッチ装置に特徴がある。
【００１１】
また、本発明の他の態様は、ハウジングと、前記ハウジングの内部に設けられ、押圧により頂点部が弾性変形及び復元してハウジングの底面に備えられた第１端子の接続片と第２端子の接続片を電気的に接続または開放させるドーム状の可動端子を備えるプッシュスイッチ装置において、前記可動端子の上部に位置して頂点部中央に接触する押圧突起を備え、可動端子の頂点部を下方に押圧して弾性変形させるスイッチング方向を中心軸として回転するようにハウジング内に設けられた第１押圧部材；前記第１押圧部材上に重ねてハウジング内に設けられた第２押圧部材；前記ハウジングの一側壁を貫通して一部が外部に露出し、前記可動端子のスイッチング方向に対して直交する押し方向に直線移動して前記第１押圧部材を回転させる押しボタン；及び前記第１及び第２押圧部材に形成され、第１押圧部材の回転運動を前記第１押圧部材の押圧突起が可動端子の頂点部を下方に押圧するスイッチング方向の押圧運動に転換させる押圧方向転換手段を含むことを特徴とするプッシュスイッチ装置に特徴がある。
【００１２】
また、本発明の前記押圧方向転換手段は、前記第１押圧部材の上面に形成され、第１押圧部材の回転中心軸を中心とする円周上に配置された複数の傾斜突起と、前記第２押圧部材の底面に形成され、前記複数の傾斜突起にそれぞれ挿入されるように傾斜突起と対応する形状に形成された複数の傾斜溝とからなることを特徴とする請求項１または２に記載のプッシュスイッチ装置に特徴がある。
【００１３】
また、本発明は、前記第１押圧部材の上面回転中心に支持軸を突設し、前記第２押圧部材の底面回転中心に前記支持軸が挿入される支持孔を形成したことを特徴とする請求項３に記載のプッシュスイッチ装置に特徴がある。
【００１４】
さらに、本発明は、前記押しボタンによる第１及び第２押圧部材の逆方向相対回転の構成は、前記第１及び第２押圧部材の一側外周面にそれぞれ突設されて相互１８０度の間隔に配置された１対の回転突起と、前記押しボタンから二つに分岐して形成され、その先端が前記１対の回転突起の近くにそれぞれ位置して押しボタンの押し方向移動時、前記第１及び第２回転突起を押圧して第１及び第２押圧部材を相互逆方向に回転させる押しバーとからなることを特徴とする請求項１に記載のプッシュスイッチ装置に特徴がある。
【発明の効果】
【００１５】
前述した本発明の特徴的構成によれば、押しボタンを押し操作することによって、第１及び第２押圧部材が相互逆方向に相対回転し、押圧方向転換手段は前記第１及び第２押圧部材の相対回転運動をスイッチング方向の押圧運動に転換するので、第１押圧部材の押圧突起が可動端子の頂点部中央を正確に垂直に押圧できるようになる。
【００１６】
したがって、可動端子のスイッチング方向と押しボタンの押し方向を同一に構成する方式と同様に、可動端子が弾性変形及び復元する時に優れたクリック感を維持でき、可動端子と第１押圧部材の押圧突起間から発生する滑り摩擦が最小化して摩耗による操作性の低下や部品の寿命短縮を防止できる。また、押しボタンの操作時、直進性に優れ、可動端子の弾性変形による反撥力の他に別の反撥力がさらに発生しないので、押しボタンの操作性が向上する。
【００１７】
また、本発明の第１及び第２押圧部材を相互逆方向に相対回転させる構成は、第１及び第２押圧部材のうちいずれかを回転させる構成に比べて、相対回転角度を１／２に低減することができる。これによって押しボタンの押し方向移動距離も１／２に減少させることができるので、押しボタンの操作性をより向上させる効果がある。
【図面の簡単な説明】
【００１８】
【図１】本発明に係るプッシュスイッチ装置の斜視図である。
【図２】本発明に係るプッシュスイッチ装置の分解斜視図である。
【図３】図３（Ａ）及び図３（Ｂ）は本発明に係るプッシュスイッチ装置の作動状態を示した縦断面図である。
【図４】本発明に係るプッシュスイッチ装置において第１及び第２固定端子の設置状態を示したハウジングの横断面図である。
【図５】図５（Ａ）及び図５（Ｂ）は本発明に係るプッシュスイッチ装置の作動状態を示した横断面図である。
【図６】図６（Ａ）及び図６（Ｂ）は本発明に係るプッシュスイッチ装置の他の実施形態を示した横断面図である。
【図７】図７（Ａ）は図５（Ａ）及び図６（Ａ）のＡ−Ａ線断面図であり、図７（Ｂ）は図５（Ｂ）及び図６（Ｂ）のＢ−Ｂ線断面図である。
【図８】図８は従来のプッシュスイッチ装置を示した断面図である。
【発明を実施するための形態】
【００１９】
以下、本発明の好ましい実施形態を添付図面に基づいて詳細に説明する。
【００２０】
図１及び図２は本発明のプッシュスイッチ装置を示した斜視図及び分解斜視図である。本発明のプッシュスイッチ装置は内部空間を有する六面体のハウジング１０を備える。ハウジング１０は絶縁樹脂を射出成形して構成するもので、内部に部品を設けることができるように上部は開放しており、部品の設置後は開放した上部を蓋１１で覆うように構成する。
【００２１】
ハウジング１０と蓋１１の係合構造は、ハウジング１０の両側壁に係合突起１０ａを形成し、蓋１１には前記係合突起１０ａが挿入されて係止される係合溝１１ａを形成して構成する。
【００２２】
ハウジング１０にはスイッチ機能のための第１及び第２固定端子１２、１３と、前記第１及び第２固定端子１２、１３を接続または開放する可動端子１４が設けられる。
【００２３】
図２及び図４に示したように、第１及び第２固定端子１２、１３は伝導性金属で製造し、ハウジング１０の射出成形時、共にモールドしてハウジング１０内に埋設される。第１及び第２固定端子１２、１３は外部との電気的接続のためにハウジング１０の両側壁下部に露出する外部端子１２ａ、１３ａをそれぞれ備え、ハウジング１０の内部底面は前記可動端子１４との接続のために露出した接続片１２ｂ、１３ｂをそれぞれ備える。この時、第１固定端子１２の接続片１２ｂはハウジング１０の底面中央に配置し、第２固定端子１３の接続片１３ｂはハウジング１０の底面角部の両側２個所にそれぞれ配置する。
【００２４】
図２及び図３（Ａ）に示したように、可動端子１４は伝導性と弾性に優れたステンレススチールで製造し、ドーム状に形成してハウジング１０の底面上に設ける。上方に凸に湾曲した可動端子１４の頂点部は第１固定端子１２の接続片１２ｂ上に位置させ、可動端子１４の角部は第２固定端子１３の接続片１３ｂに接触させて設ける。したがって、可動端子１４の頂点部を押圧して下方に弾性変形させると、図３（Ｂ）に示したように可動端子１４の頂点部が第１固定端子１２の接続片１２ｂに接触することによって、第１及び第２固定端子１２、１３が電気的に接続される。一方、押圧力を除去すると、図３（Ａ）に示したように可動端子１４の頂点部が弾性復原力により元の位置に復帰して第１及び第２固定端子１２、１３が電気的に開放される。
【００２５】
前記可動端子１４の頂点部を押圧するための構成は前記ハウジング１０内の可動端子１４の上部に上下に重ねて設けた第１及び第２押圧部材２０、３０と、ハウジング１０の一側壁を貫設した押しボタン４０からなる。これらの構成要素は絶縁樹脂で製造する。
【００２６】
可動端子１４の真上に設けられる第１押圧部材２０は、円板状に形成され、底面は可動端子１４の頂点部中央と接触する押圧突起２１を備え、前記押圧突起２１が可動端子１４の頂点部を垂直下方に押圧して弾性変形させるスイッチング方向を中心軸として回転するようにハウジング１０内に設けられる。
【００２７】
第１押圧部材２０上に重ねて設けられた第２押圧部材３０もやはり、円板状に形成され、第１押圧部材２０と同一な中心軸を中心に回転するようにハウジング１０内に設けられる。
【００２８】
図２及び図５（Ａ）に示したように、ハウジング１０には前記第１及び第２押圧部材２０、３０を回転可能に支持するため、押しボタン４０が設けられる方には第１及び第２押圧部材２０、３０の外周面と対応する円弧状壁１０ｂを立設し、前記円弧状壁１０ｂに対向する一側壁には円弧状面１０ｃを形成することが好ましい。
【００２９】
また、前記第１押圧部材２０の上面回転中心には支持軸２２を突設し、前記第２押圧部材３０の回転中心には前記支持軸２２が挿入される支持孔３１を形成する。これによって第１及び第２押圧部材２０、３０は相互回転支持されると共に、第１押圧部材２０は第２押圧部材３０に対して支持孔３１及び支持軸２２の軸方向、即ちスイッチング方向に直線運動するように支持される。
【００３０】
一方、押しボタン４０は前記ハウジング１０の一側壁を貫通して一部が外部に露出され、押し方向が前記スイッチング方向に対して直交するように配置され、前記第１及び第２押圧部材２０、３０を相互逆方向に相対回転させるように構成される。
【００３１】
前記押しボタン４０の押し操作による第１及び第２押圧部材２０、３０の相対回転構成は、図２及び図５（Ａ）に示したように、前記第１及び第２押圧部材２０の一側外周面にそれぞれ突設されて相互１８０度の間隔に配置された１対の回転突起２３、３２と、前記押しボタン４０から二つに分岐して形成され、その先端が前記１対の回転突起２３、３２の近くにそれぞれ位置した押しバー４１、４２とからなる。したがって、図５（Ｂ）に示したように押しボタン４０を押し下げると、両側の押しバー４１、４２が第１及び第２押圧部材２０、３０の回転突起２３、３２を同時に押圧するので、第１及び第２押圧部材２０、３０は相互逆方向に所定角度、相対回転する。
【００３２】
また押しボタン４０の押し操作による第１及び第２押圧部材２０、３０の相対回転構成は、前述した第１及び第２押圧部材２０、３０を相互逆方向に相対回転させる構成に限定するものでなく、第１及び第２押圧部材２０、３０のうちいずれかのみを回転させるように構成しても良い。
【００３３】
例えば、図６（Ａ）及び図６（Ｂ）は押しボタン４０の押し操作で第１押圧部材２０のみを回転させる構成を示したものである。即ち、押しボタン４０の押しバー４１、４２のうち第２押圧部材３０側の押しバー４２の長さを短く形成して押しボタン４０の押し操作によっても押しバー４２が第２押圧部材３０の回転突起３２に到達しないようにすると共に、第２押圧部材３０の回転突起３２はハウジング１０の内壁面に形成した固定溝１０ｄに挿入して第２押圧部材３０が回転しないように構成することによって達成できる。
【００３４】
また、図示しなかったが、前述したような構成を反対に適用して第１押圧部材２０は回転しないようにし、第２押圧部材３０のみを回転するような構成によっても達成できる。
【００３５】
この時、第１及び第２押圧部材２０、３０のうちいずれかのみを回転させる構成は、第１及び第２押圧部材２０、３０の両方を相互逆方向に相対回転させる構成に比べて、押しボタン４０の押し方向移動距離を２倍に設定しなければ同一な相対回転角を得ることができない。
【００３６】
また図２、図３（Ａ）及び図５（Ａ）を参照すれば、第１及び第２押圧部材２０、３０は第１及び第２押圧部材２０、３０の相対回転運動を前記第１押圧部材２０のスイッチング方向への押圧運動に転換する押圧方向転換手段を備える。
【００３７】
押圧方向転換手段は、前記第１押圧部材２０の上面に突設され、第１押圧部材２０の回転中心軸を中心とする円周上に配置された複数の傾斜突起２４と、前記第２押圧部材３０の底面に形成され、前記複数の傾斜突起２４にそれぞれ挿入されるように対応形状に形成された複数の傾斜溝３３とからなる。前記傾斜突起２４と傾斜溝３３は９０度の等間隔に４個所に形成することが好ましい。
【００３８】
したがって、図５（Ａ）及び図７（Ａ）に示したように、第１押圧部材２０の傾斜突起２４が第２押圧部材３０の傾斜溝３３に挿入された状態で、第１及び第２押圧部材２０、３０を逆方向相対回転運動させて図５（Ｂ）及び図７（Ｂ）に示したように傾斜突起２４と傾斜溝３３がくいちがうと、第２押圧部材３０に対して第１押圧部材２０がスイッチング方向、即ち押しボタン４０の押し方向に対して直交する方向に移動するようになる。これによって、図３（Ｂ）に示したように第１押圧部材２０の押圧突起２１は可動端子１４の頂点部中央を垂直に正確に押圧して下方に弾性変形させるようになる。
【００３９】
この時、第１押圧部材２０の傾斜突起２４は、切頭円錐形状において両側面の一部を第１押圧部材２０の円周方向に切断した形状に構成する。これによって第１及び第２押圧部材２０、３０の接触面積を減らして逆方向相対回転運動をより円滑に行うことができる。また、第２押圧部材３０の傾斜溝３３は、切頭円錐形状において内側面の一部を第２押圧部材３０の円周方向に切断した形状に構成して第２押圧部材３０の外径をより小さく設計できる。
【００４０】
また、図３（Ａ）に示したように、ハウジング１０内に設けられた可動端子１４は薄い保護シート１５で覆って遮断することによって、可動端子１４への湿気による悪影響を防ぐようにする。
【００４１】
このように構成した本発明の作用を説明すれば次の通りである。
【００４２】
図３（Ａ）及び図５（Ａ）に示した状態で押しボタン４０を押し下げると、押しボタン４０の押しバー４１、４２が押し方向に直線移動して第１及び第２押圧部材２０、３０の回転突起２３、３２をそれぞれ押圧する。したがって、第１及び第２押圧部材２０、３０は押しボタン４０の押し方向に対して直交するスイッチング方向を中心軸として相互逆方向に所定角度、相対回転運動するようになる。
【００４３】
第１及び第２押圧部材２０、３０が相互逆方向に相対回転すると、図５（Ｂ）及び図７（Ｂ）に示したように第１押圧部材２０の傾斜突起２４と第２押圧部材３０の傾斜溝３３が外れながら第１押圧部材２０は第２押圧部材３０に対してスイッチング方向に直線移動するようになる。これによって図３（Ｂ）に示したように第１押圧部材２０の押圧突起２１がドーム状の可動端子１４の頂点部中央を垂直に押圧して下方に弾性変形させるようになる。したがって、可動端子１４の頂点部は第１固定端子１２の接続片１２ｂと接触するようになって、第１固定端子１２と第２固定端子１３を電気的に接続する状態になる。
【００４４】
続いて、押しボタン４０の押し力を除去すると、可動端子１４の弾性復原力により頂点部が図３（Ａ）に示したように元の位置に復帰して第１固定端子１２の接続片１２ｂから離間するようになる。したがって、第１固定端子１２と第２固定端子１３はまた電気的に開放の状態になり、これと同時に第１押圧部材２０は可動端子１４の弾性復原力によりさらに上昇して図５（Ａ）及び図７（Ａ）に示したように傾斜突起２４が第２押圧部材３０の傾斜溝３３に一致するようになるので、第１及び第２押圧部材２０、３０と、押しボタン４０は押す前の状態に復帰するようになる。
【産業上の利用可能性】
【００４５】
このように本発明は、押しボタン４０を１回押し操作すると、可動端子１４の頂点部が弾性変形及び復元して第１及び第２固定端子１２、１３を電気的に接続及び開放させることによって、スイッチ機能が円滑に行われる。また、可動端子１４の頂点部を下方に弾性変形させるスイッチング方向に対して押しボタン４０の押し方向を直交するように配置することによって、プッシュスイッチ装置の縦方向サイズを大幅に減らして薄型化を図ることができる。
【００４６】
特に、本発明は押しボタン４０の押し操作により第１押圧部材２０の押圧突起２１が可動端子１４の頂点部中央を正確に垂直に押圧することによって、クリック感に優れる。また、可動端子１４の頂点部を対角線方向に押圧する従来の構成に比べて、可動端子１４と第１押圧部材２０の押圧突起２１との間の滑り摩擦を最小化して、摩耗による操作感の低下や部品の寿命短縮を防止できる。
【００４７】
さらに本発明は、押しボタン４０の押し操作による第１及び第２押圧部材２０、３０の回転運動をスイッチング方向への直線運動に転換して可動端子１４の頂点部を弾性変形させるものであるので、可動端子１４の弾性変形による反撥力の他に別の反撥力がさらに発生しない。これによって押しボタン４０の直進性が良くなり、押しボタン４０の押し力が減少してスイッチ操作感が向上できる。
【００４８】
また、本発明の第１及び第２押圧部材２０、３０を相互逆方向に同時に相対回転させる構成は、第１及び第２押圧部材２０、３０のうちいずれかを回転させる構成に比べて相対回転角度を１／２に減らすことができ、これによって押しボタン４０の押し方向移動距離を１／２に減少させることができて押しボタン４０の操作性をより向上させることができる。従って、本発明の産業利用性はきわめて高いものといえる。
【００４９】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。
【符号の説明】
【００５０】
１０  ハウジング
１１  蓋
１２  第１固定端子
１３  第２固定端子
１４  可動端子
２０  第１押圧部材
２１  押圧突起
２２  支持軸
２４  傾斜突起
３０  第２押圧部材
３１  支持孔
３３  傾斜溝
４０  押しボタン
４１、４２  押しバー
【図１】
2012185929.tif 000003
【図２】
2012185929.tif 000004
【図３】
2012185929.tif 000005
【図４】
2012185929.tif 000006
【図５】
2012185929.tif 000007
【図６】
2012185929.tif 000008
【図７】
2012185929.tif 000009
【図８】
2012185929.tif 000010